(57)【要約】【課題】個々に重量の異なる商品であっても事前に重量を計量して読取り可能なように表示しておくことなく商品の入れ替えを防止でき、顧客が選定した商品の組合せ購入や、はかり売りにも対応可能な自動会計システムを提供する。【解決手段】顧客が店舗内を移動しながら買物をする移動カート１０には選択した商品の単品重量を計量する単品重量計量台２２とバーコード読取機２４と商品情報表示機２８と購入決定ボタン３０と返品決定ボタン３２と購入商品情報を送信する送信装置１６等を備え、買物した商品の精算を行う精算ステーション４０には移動カートからの購入商品情報を受信する受信装置４４と商品の総重量を計量する総重量計量台４２と精算情報表示機５２と精算確認ボタン５４等を備え、精算ステーションで計量された総重量が移動カートで計量された単品重量の積算重量に対して所定の範囲内にあるときに精算するようにした。【選択図】　　　図１
2004139194.tif 000002
【特許請求の範囲】
【請求項１】
顧客が店舗内を移動しながら購入する商品を選択するための移動カートと、前記移動カートにて購入を決定した商品の精算を行う精算ステーションとを備えた自動会計システムであって、
前記移動カートには、選択された商品の単品重量を計量する単品重量計量手段と、前記選択された商品の価格情報を読取る価格情報読取手段と、前記価格情報読取手段により読取られた商品の情報を表示する商品情報表示手段と、前記選択された商品の購入を決定する購入決定手段と、前記購入決定手段により購入を決定された商品の情報を前記精算ステーションに送信する購入商品情報送信手段とを備え、
前記精算ステーションには、前記移動カートから送信される前記購入を決定された商品の情報を受信する購入商品情報受信手段と、前記購入を決定された商品の総重量を計量する総重量計量手段と、前記総重量計量手段により計量された総重量と前記購入を決定された商品について計量された単品重量の積算重量とを比較する比較手段と、前記購入を決定された商品の積算価格を表示する精算情報表示手段とを備え、
前記精算ステーションで計量された総重量が前記購入を決定された商品について計量された単品重量の積算重量に対して所定の範囲内にあるときに、前記精算情報表示手段に表示された積算価格によって精算するようにしたことを特徴とする、自動会計システム。
【請求項２】
前記移動カートには、前記選択された商品の返品を決定する返品決定手段を備え、
前記購入を決定された商品から選択された商品について、前記単品重量計量手段により単品重量を計量し、前記価格情報読取手段により価格情報を読取り、前記返品決定手段により返品を決定することにより、前記購入商品情報送信手段により送信する商品から当該商品情報を削除するようにしたことを特徴とする、請求項１に記載の自動会計システム。
【請求項３】
前記価格情報読取手段は、前記選択された商品がはかり売りの場合に、単位重量当たりの価格を読取る機能と、前記読取られた単位重量当たりの価格と前記単品重量計量手段により計量された単品重量とから当該商品の価格を演算する機能とを備え、
前記演算された価格を前記商品情報表示手段に表示するようにしたことを特徴とする、請求項１または請求項２に記載の自動会計システム。
【発明の詳細な説明】
【０００１】
【発明の属する技術分野】
本願発明は、移動カートを用いた自動会計システムに関し、特に購入した商品の重量を計量することにより商品の入れ替えを防止する機能を有する自動会計システムに関する。
【０００２】
【従来の技術】
従来、移動カートを用いた自動会計システムとして、移動カートにバーコード読取装置を搭載し、顧客が陳列棚から取出した商品を買物カゴに投入する前に、顧客自身にバーコード読取装置を用いて商品のバーコードを読取ってもらい、その集計結果に基づいて買物カゴ内の商品の精算を行うものがあった。これにより、レジにおいて係員が商品のバーコードを読取る作業を省略できるので、迅速に精算処理ができること、レジの人員を削減することにより低廉に商品を提供できることなどの効果があり、更にはこのようなシステムを用いて無人店舗化を図ることも可能であった。
【０００３】
しかし、上記のような顧客自身にバーコードを読取ってもらうシステムでは、顧客が商品のバーコードを読取り後に商品を入れ替えることによって容易に不正ができてしまうという問題があったため、買物カゴに投入された商品の総重量を計量する手段を設け、バーコードを読取られた商品について、あらかじめ登録されている商品の重量データをもとに購入する商品の積算重量を演算し、精算時に計量した総重量と比較して、一致した場合に精算するようにしたシステムが提案されていた（例えば、特許文献１）。
【０００４】
【特許文献１】
特開平１０−２０８１５２号公報
【０００５】
【発明が解決しようとする課題】
しかしながら、このような従来の自動会計システムでは、あらかじめすべての商品についての重量データを記憶させておく必要があるため、個々の商品毎に重量の異なる商品については事前に重量を計量し、計量した重量を記述したバーコードを商品に貼り付ける等の作業が必要となり、却ってコスト高となるという問題があった。
【０００６】
また、従来の自動会計システムでは、野菜や果物等のように顧客が実際に手にとって選定したい商品についても、あらかじめ販売店側で商品の組合せを決定して袋詰し、重量を計量してバーコード表示したものを販売することになるため、顧客にとっては自由に商品を選定できないという不満が生じ、顧客離れを招くという問題があった。
【０００７】
更に、従来の自動会計システムでは、塩、砂糖、米、味噌、醤油、惣菜等を顧客が希望する量だけ販売する「はかり売り」には全く対応できなかった。
【０００８】
それゆえに、本願発明の主たる目的は、個々に重量の異なる商品であっても事前に重量を計量して読取り可能なように表示しておくことなく商品の入れ替えを防止でき、顧客が自分の希望する商品を選定して組合せ購入でき、はかり売りにも対応可能な自動会計システムを提供することである。
【０００９】
【課題を解決するための手段】
請求項１に記載の自動会計システムは、顧客が店舗内を移動しながら購入する商品を選択するための移動カートと、移動カートにて購入を決定した商品の精算を行う精算ステーションとを備えた自動会計システムであって、移動カートには選択された商品の単品重量を計量する単品重量計量手段と、選択された商品の価格情報を読取る価格情報読取手段と、価格情報読取手段により読取られた商品の情報を表示する商品情報表示手段と、選択された商品の購入を決定する購入決定手段と、購入決定手段により購入を決定された商品の情報を精算ステーションに送信する購入商品情報送信手段とを備え、精算ステーションには移動カートから送信される購入を決定された商品の情報を受信する購入商品情報受信手段と、購入を決定された商品の総重量を計量する総重量計量手段と、総重量計量手段により計量された総重量と購入を決定された商品について計量された単品重量の積算重量とを比較する比較手段と、購入を決定された商品の積算価格を表示する精算情報表示手段とを備え、精算ステーションで計量された総重量が購入を決定された商品について計量された単品重量の積算重量に対して所定の範囲内にあるときに、精算情報表示手段に表示された積算価格によって精算するようにしたものである。
上記構成により、顧客は移動カートを用いて、店舗内を移動しながら商品を選択し、選択した商品について単品重量計量手段により単品重量を計量するとともに、価格情報読取手段により価格情報を読取り、購入決定手段により購入を決定した商品について、精算ステーションに持込むことにより、総重量計量手段により当該購入を決定した商品の総重量が計量され、比較手段により計量された総重量と購入を決定した商品について計量した単品重量の積算重量とが比較され、所定の範囲内にある場合に当該購入を決定した商品の積算価格によって精算されるので、個々に重量の異なる商品であっても事前に重量を計量して価格情報読取手段により読取り可能なように表示しておくことなく商品の入れ替えを防止でき、人件費を更に削減してより低廉に商品を提供できる。
【００１０】
請求項２に記載の自動会計システムは、請求項１に記載の自動会計システムであって、移動カートには選択された商品の返品を決定する返品決定手段を備え、購入を決定された商品から選択された商品について、単品重量計量手段により単品重量を計量し、価格情報読取手段により価格情報を読取り、返品決定手段により返品を決定することにより、購入商品情報送信手段により送信する商品から当該商品情報を削除するようにしたものである。
上記構成により、顧客は一度購入を決定した商品から返品する商品を選択し、単品重量計量手段により単品重量を計量するとともに、価格情報読取手段により価格情報を読取り、返品決定手段により返品を決定することにより、簡便に返品を行うことができる。
【００１１】
請求項３に記載の自動会計システムは、請求項１または請求項２に記載の自動会計システムであって、価格情報読取手段は選択された商品がはかり売りの場合に、単位重量当たりの価格を読取る機能と、読取られた単位重量当たりの価格と単品重量計量手段により計量された単品重量とから当該商品の価格を演算する機能とを備え、演算された価格を商品情報表示手段に表示するようにしたものである。
上記構成により、購入する商品がはかり売りの場合には、価格情報読取手段により当該商品の単位重量当たりの価格を読取り、読取られた単位重量当たりの価格と単品重量計量手段により計量された単品重量とから価格が演算されるので、通常の固定重量商品と同様に取り扱うことができる。また、野菜や果物等のように顧客が実際に手にとって選定したい商品にも対応でき、顧客は自分の選定した商品を自由に組合せて購入することができる。
【００１２】
この発明の上述の目的、その他の目的、特徴および利点は、図面を参照して行う以下の発明の実施の形態の詳細な説明から一層明らかとなろう。
【００１３】
【発明の実施の形態】
図１は本願発明の一実施の形態にかかる自動会計システムのブロック構成図を示す。図において、１０は顧客が店舗内を移動しながら購入する商品を選択するための移動カートであり、４０は移動カート１０にて購入を決定した商品の精算を行う精算ステーションである。
【００１４】
移動カート１０は、買物カゴ１４を乗せて店舗内を移動するためのキャスター付き台車であり、商品の購入手続を処理する移動カート制御装置２０を備える。移動カート制御装置２０は、選択された商品の単品重量を計量する単品重量計量台２２と、選択された商品の価格情報を読取るバーコード読取機２４と、電源スイッチ２６と、選択された商品の情報を表示する商品情報表示機２８と、選択された商品の購入を決定するときに押す購入ボタン３０と、選択された商品の返品を決定するときに押す返品ボタン３２と、選択中の商品の選択を取消すときに押す取消ボタン３４と、移動カート１０での操作を終了するときに押す終了ボタン３６とを備える。また、移動カート１０には、精算ステーション４０に対して購入商品情報を送信する送信装置１６と、移動カート制御装置２０の電源（図示省略）を充電するための充電端子１８が備えられ、それぞれ移動カート制御装置２０に接続されている。
尚、移動カート制御装置２０には、購入手続を処理するためのＣＰＵと、記憶装置と、単品重量計量台２２・バーコード読取器２４・移動カート表示器２８・購入ボタン３０・返品ボタン３２・取消ボタン３４・終了ボタン３６・送信装置１６のそれぞれと接続するインターフェースが備えられ、後述の購入手続処理（図２）が実行される。
【００１５】
精算ステーション４０は、精算手続を処理する精算ステーション制御装置５０を備える。精算ステーション制御装置５０は、買物価格を表示する精算情報表示機５２と、精算を行うときに押す精算ボタン５４と、精算を中止するときに押す取消ボタン５６と、紙幣を投入する紙幣投入機６０と硬貨を投入する硬貨投入機６２とレシートを発行するレシート発行機６４と釣銭を払出す釣銭払出機６６とを備える。また、精算ステーション４０には、購入を決定された商品の総重量を計量する総重量計量台４２と、移動カートシステム１０から送信される購入を決定された商品の情報を受信する受信装置４４が備えられ、それぞれ精算ステーション制御装置５０に接続されている。
尚、精算ステーション制御装置５０には、精算手続を処理するためのＣＰＵと、記憶装置と、総重量計量台４２・購入商品情報受信装置４４・精算ステーション表示器５２・精算ボタン５４・取消ボタン５６・紙幣投入機６０・硬貨投入機６２・釣銭払出機６６・レシート発行機６４の各機器と接続するインターフェースとが備えられ、後述の精算手続処理（図３）が実行される。
【００１６】
移動カートの送信装置１６と精算ステーションの受信装置４４は、移動カート１０が精算ステーション４０の所定位置にセットされたときに購入商品情報を伝達するための通信装置であり、ここでは他の移動カートシステムとの干渉を避けるために赤外線通信装置を用いたが、ブルートゥース（登録商標）のような近距離無線通信装置を用いてもよく、移動カート１０が精算ステーション４０の所定位置にセットされたときに移動カート１０に設けた端子と精算ステーション４０に設けた端子とが勘合されるように構成したり、顧客にケーブル接続させることによって購入商品情報を伝達するようにしてもよい。
【００１７】
次に、このような自動会計システムを使用して顧客が商品を購入する手順について説明する。最初に、充電ステーション（図示省略）から充電済の移動カート１０を取出し、電源スイッチ２６を押して電源をＯＮとする。次に、移動カート１０を押して店舗内を廻り、希望する商品を陳列棚から取出して単品重量計量台２２に乗せ、単品重量を計量する。単品重量の計量を終了したら、バーコード読取機２４によって商品のバーコードを読取る。これにより、商品情報表示機２８に当該商品の名称と価格が表示される。当該商品を購入するときは、購入ボタン３０を押して買物カゴ４に入れることにより、当該商品の情報が後述の購入品リストに登録される。また、購入しないときは取消ボタン３４を押すことで、当該商品の情報は破棄される。このような操作を繰り返すことにより、顧客は所要の買物を行うことができる。
【００１８】
購入する商品がはかり売り商品の場合は、はかり売り商品であることを表す商品区分と単位重量当たりの価格とがバーコード表示された備え付けの計量袋に当該商品を自分の希望する分量だけ入れて単品重量計量台２２に乗せ、単品重量を計量するとともに、バーコード読取機２４で計量袋に表示されたバーコードを読取ることで、価格が演算されて商品情報表示機２８に表示されるので、顧客はその価格を見て購入するか否かを決定できる。
【００１９】
また、一度購入を決定した商品を返品する場合は、買物カゴ１４から返品する商品を取出し、単品重量計量台２２に載せて単品重量を計量するとともに、バーコード読取機２４によって商品のバーコードを読取った上で、返品ボタン３２を押すことにより、購入品リストから当該商品の情報が削除されるので、当該商品を元の陳列棚または専用の返却棚に返却する。
【００２０】
必要な商品の購入手続を完了したら、移動カート１０を精算ステーション４０の所定位置に移動して送信装置１６と受信装置４４の間の通信を可能とし、終了ボタン３６を押す。これにより、移動カート制御装置２０の購入品リストが精算ステーション制御装置５０に転送される。
次に、購入を決定した商品の入った買物カゴ１４を総重量計量台４２に移しかえる。これにより、買物カゴ１４に入った商品の総重量が計量され、精算ステーション制御装置５０において計量された重量と受信した購入品リストに登録された商品の単品重量の積算重量とが比較され、所定の範囲内にあれば購入品リストに登録された商品の積算価格が精算情報表示機５２に表示される。
ここで、紙幣投入機６０と硬貨投入機６２に現金を投入すると、投入金額と釣銭金額が表示されるので、それを確認して精算ボタン５４を押すことで釣銭払出機６６から釣銭が払出され、レシート発行機６４からレシートが発行される。
以上の操作により、顧客は買物カゴ１４に入った商品を持ち帰ることができ、移動カート１０を充電ステーションに返却して買物終了となる。
【００２１】
図２に、移動カート制御装置２０における購入手続処理の制御フローを示す。顧客が移動カート１０を充電ステーションから取出すかまたは電源スイッチ２６を押すと移動カート制御装置２０の電源が入り、最初に購入品リストをクリアする（Ｓ１００）。ここで、購入品リストとは顧客が購入を決定した商品の名称と価格を登録するデータファイルである。
ここで、「商品を計量台に乗せて下さい」のメッセージを表示し（Ｓ１０２）、終了ボタンが押されていないことを確認の上（Ｓ１０４）、単品重量計量台２２による商品の単体重量の計量完了を待ち（Ｓ１０６）、計量した単品重量を取得する（Ｓ１０８）。
単品重量を取得したら、「バーコードを読取って下さい」のメッセージを表示し（Ｓ１１０）、バーコード読取機２４によるバーコードの読取り完了を待ち（Ｓ１１２）、読取ったバーコードから商品名、商品区分、商品価格、単位重量価格を取得する（Ｓ１１４）。ここで、商品区分とは、当該商品がはかり売り商品か否かを示すもので、はかり売り商品でない場合は商品価格が、はかり売り商品の場合は単体重量価格（単位重量当たりの価格を表す）が取得される。
尚、商品名、商品区分、商品価格、単位重量価格は直接バーコードで表したものを商品の包装や備え付けの計量袋に表示するようにしてもよいが、共通商品コード規格化されているＪＡＮ（Ｊａｐａｎ　Ａｒｔｉｃｌｅ　Ｎｕｍｂｅｒ）等のコードを使用し、移動カート側制御装置２０に事前に記憶させたコード表を参照して商品名、商品区分、商品価格、単位重量価格を取得するようにしてもよい。
【００２２】
取得された商品区分がはかり売り商品でない場合には、取得された商品価格を価格とし（Ｓ１１８）、取得された商品区分がはかり売り商品の場合には、取得された単位重量価格と取得された単品重量の積を価格とし（Ｓ１２０）、取得された商品名と価格を商品情報表示機２８に表示する（Ｓ１２２）。
【００２３】
ここで、「購入ボタン、返品ボタン、取消ボタンのいずれかを押して下さい」のメッセージを表示し（Ｓ１２４）、購入ボタンが押されたことを検知したら（Ｓ１２６）、購入品リストに取得された商品名、価格、単位重量を登録してＳ１０２に戻る（Ｓ１２８）。また、返品ボタンが押されたことを検知したら（Ｓ１３０）、当該商品が購入品リストに登録されていることを確認し（Ｓ１３２）、購入品リストから当該商品名、価格、単品重量を削除してＳ１０２に戻る（Ｓ１３４）。尚、当該商品が購入品リストに登録されていない場合は、「返品できません」のメッセージを表示してＳ１２６に戻る（Ｓ１３６）。
また、取消ボタンが押されたことを検知したときは強制的にＳ１０２に戻る。
【００２４】
最後に、Ｓ１０４で終了ボタンが押されたことを検知したら、送信装置１６により購入品リストを精算ステーションに送信して処理を終了する（Ｓ１３８）。尚、送信を終了すると移動カート制御装置２０の電源はＯＦＦとなるので、続けて使用するときは電源スイッチ２６を押すことでＳ１００から再開する。但し、買物終了後に必ず移動カート１０を充電ステーションに戻すものとすれば、電源スイッチ２６は省略できる。
【００２５】
上記実施形態では、購入手続は選択された商品の単品重量の計量を行った後にバーコードを読取るものとして説明したが、先にバーコードを読取った後に単品重量を計量するようにしてもよい。
また、単品重量の計量とバーコードの読取りと購入ボタンの検知と返品ボタンの検知と取消ボタンの検知と終了ボタンの検知とをイベント処理により行い、購入ボタンの検知処理および返品ボタンの検知処理において、既に単品重量の計量とバーコードの読取りを終了していることを確認した上で処理するようにしてもよい。尚、この場合には、購入ボタン３０または返品ボタン３２が押されるまでは何度でも単品重量の計量やバーコードの読取りを繰返すことができるので、取消ボタン３４を省略してもよい。
【００２６】
また、上記実施形態では、移動カート制御装置２０に終了ボタン３６を設け、顧客がこのボタンを押すことによって精算ステーションに購入品リストを送信して処理を終了するようにしたが、移動カート１０を精算ステーション４０の所定位置にセットして通信可能となったときに自動的に通信して処理を終了するようにしてもよい。
【００２７】
上記実施形態では、商品情報の読取りをバーコード読取機により行うとして説明したが、ＯＣＲによって表示されている文字を読取るようにしてもよい。
【００２８】
図３に、精算ステーション制御装置５０における精算手続処理の制御フローを示す。図のように、移動カートから送信された購入品リストの受信を完了すると（Ｓ２００）、受信された購入品リストを取得する（Ｓ２０２）。
ここで、「買物カゴを乗せて下さい」のメッセージを表示し（Ｓ２０４），総重量計量台４２による総重量の計量完了を待ち（Ｓ２０６）、計量した総重量を取得する（Ｓ２０８）。
次に、取得された購入品リストに登録されている商品の単品重量を積算し（Ｓ２１０）、取得された総重量と積算重量とを比較する（Ｓ２１２）。総重量から積算重量と買物カゴ１４の重量とを引いた重量の絶対値が許容重量を超えている場合は、商品の入れ替えが生じたと考えられるので、「精算できません」「カートにて再度購入手続をして下さい」のメッセージを表示して終了する（Ｓ２１４）。尚、許容重量は単品重量計量台２２による計量誤差と総重量計量台４２による計量誤差と買物カゴ１４の重量偏差とを勘案して決定される。
総重量から積算重量と買物カゴ１４の重量とを引いた重量の絶対値が許容重量以下の場合は、購入品リストに登録されている商品と買物カゴ１４内の商品が一致していると考えられるので、購入品リストに登録されている商品の価格を積算し（Ｓ２１６）、積算価格を精算情報表示機５２に表示する（Ｓ２１８）。
【００２９】
ここで、「現金を投入して精算ボタンを押して下さい」のメッセージを表示し、紙幣投入機６０と硬貨投入機６２に投入された金額を取得し（Ｓ２２２）、投入金額を精算情報表示機５２に表示する（Ｓ２２４）。次に、投入金額から積算価格を引いた釣銭金額を求め（Ｓ２２６）、釣銭金額が正またはゼロとなったら（Ｓ２２８）、釣銭金額を精算情報表示機５２に表示する（Ｓ２３０）。また、精算ボタン５４が押されたことを検知したら（Ｓ２３２）、釣銭金額を釣銭払出機６６に出力して、釣銭を払出す（Ｓ２３４）。
最後に、購入品リスト、積算価格、投入金額、釣銭金額をレシート発行機６４に出力してレシートを発行し（Ｓ２３６）、精算処理を終了する。
尚、処理の途中で取消ボタン５６が押されたことを検知したら強制的に終了し、紙幣または硬貨が投入されている場合は投入金額を釣銭払出機６６に出力して処理を終了する。
【００３０】
上記実施形態では、操作手順を逐一メッセージ表示するものとして説明し、具体的にどのような手段を用いて表示するかについての記載は省略したが、商品情報表示機または精算情報表示機に文字表示する方法、文字表示が記載されたパネルを選択的に点灯する方法、音声ガイドにより行う方法などが考えられ、店舗のスタイルや需要者層等を考慮して選定すればよい。また、このようなメッセージ表示は、対象とする顧客を本システムの操作に精通した会員に限定するような場合には省略することもできる。
【００３１】
上記実施形態では、顧客は移動カートに搭載した買物カゴに購入する商品を投入して、精算ステーションで買物カゴを含めて総重量を計量するものとして説明したが、精算時にポリ袋等に移し替えて計量し、精算終了後にそのまま持ち帰ることができるようにしてもよい。また、移動カートにおいて買物カゴを用いることなく最初から購入する商品をポリ袋等に投入するものとして、精算ステーションで移し替えることなく総重量を計量して持ち帰ることができるようにしてもよい。更に、最初に入れ物の重量を計量して登録する機能を設けておき、顧客が自分の好きな入れ物を用いて買物ができるようにしてもよい。
【００３２】
上記実施形態では、はかり売り商品は商品名と単位重量価格をバーコード表示した備え付けの計量袋に商品を入れて購入手続を行うものとして説明したが、必ずしもバーコード表示した計量袋を使用する必要はなく、任意の袋に入れて単品重量を計量し、バーコードの読取は陳列棚に設けたバーコードを読取るようにしてもよい。
この場合に、購入する商品とは異なる商品のバーコードを読取ることで不正な買物が行われる可能性があるが、ここではある程度信頼できる顧客を対象として考えているので特別な不正防止手段は設けていない。
尚、このような不正な買物を防止するには、例えば表面に価格情報をバーコード表示した蓋付きの容器に商品を格納するものとし、その容器に移動カートのバーコード読取機によってバーコードが読取られたことを検知して蓋を開放する機構を設けておけばよい。バーコードが読取られたことの検知は、例えばバーコード読取機と容器の相互間で通信を行う赤外線通信装置を設け、移動カートにおいてバーコードの読取りを完了した時に完了通知を容器に対して通知するようにすればよい。
【００３３】
上記実施形態では、精算ステーションにおいて総重量と単品重量の積算重量とを比較して所定の範囲内にない場合には、「精算できません」「カートにて再度購入手続をして下さい」のメッセージを表示するとして説明したが、警報音を出して警告するようにしてもよい。また、このような場合の不正持ち出しを防止するために出口にゲートを設け、総重量が単品重量の積算重量に対して所定の範囲にある場合にゲートを開放する機構を設けるようにしてもよい。
【００３４】
上記実施形態では、購入する商品の積算重量や積算価格を求める演算は精算ステーション制御装置において行うものとして説明したが、移動カート制御装置において購入を決定したときに単品重量と価格と加算し、返品を決定したときに単品重量と価格を減算することにより積算重量や積算価格を求め、終了時に積算重量と積算価格を購入品リストとともに精算ステーションに送信するようにしてもよい。尚、この場合に、移動カートの商品情報表示装置２８に積算価格を常時表示するようにすれば、顧客はこれまでに購入を決定した商品の総額を常に把握できるので、安心して買物ができる。
【００３５】
上記実施形態では、購入する商品の総重量を計量する総重量計量手段は精算ステーションに設けるものとして説明したが、移動カートに総重量計量手段を設け、精算時に総重量と単品重量の積算重量の比較結果を精算ステーションに送信するようにしてもよい。尚、この場合には、移動カートにおいて購入を決定した商品の総重量と単品重量の積算重量とを常時比較して監視できるので、商品の入れ替えをより効果的に防止できる。
【００３６】
上記実施形態では、移動カートに単品重量計量台とバーコード読取機を個別に備え、単品重量の計量とバーコードの読取りを順次行うものとして説明したが、例えば単品重量計量台の商品を乗せる台座を透明体で形成し、バーコード読取機をその下部に設けるようにしてもよい。これにより、顧客がバーコード表示を下向けにして商品を単品重量計量台に乗せるだけで商品の単品重量の計量とバーコードの読取りが同時に行われるので、顧客の操作を簡便化できるとともに、商品の入れ替え防止効果を更に高めることができる。
【００３７】
上記実施形態では、総重量が単品重量の積算重量に対して所定の範囲にあるときに積算価格を表示して、顧客自身が紙幣や硬貨を投入して精算するものとして説明したが、必ずしも自動的に精算を行う必要はなく、精算ステーションに係員を配置して、表示価格に基づいて現金を受取るようにしてもよく、本願発明の効果を奏する。
【００３８】
上記実施形態では、本自動会計システムを利用する顧客について特に制限を設けないものとして説明したが、あらかじめ登録した会員のみが利用できるようにしてもよい。このため、移動カート制御装置に会員カード読取機を設け、所定の会員カードが挿入されたときに移動カート制御装置の電源をＯＮとするようにしてもよい。これにより、ある程度信頼できる顧客を対象とした無人店舗を運営することが可能となる。
尚、会員カード使用者の精算には、購入した商品の積算価格のうち１００円未満の金額については精算することなく残高として記憶し、次回の買物において記憶された前回の残高を含めて精算する機能を設けてもよい。これにより、顧客は１円や１０円等の小銭を持ち歩くことなく買物ができるようになる。
また、会員カードに決済機能を設け、精算ステーションにおいて精算金額をあらかじめ登録した金融機関の指定口座から引落すようにオンライン処理する機能を設けてもよい。この場合、会員情報を移動カートと精算ステーションとの間の通信手段により伝達するようにしてもよく、精算ステーションにも会員カード読取機を設けて、精算時に顧客に会員カードを精算ステーションに移し替えしてもらうようにしてもよい。
更に、会員カードをＩＣカードとし、移動カートにおいて購入を決定した商品の情報をＩＣカードに書き込み、そのＩＣカードが改めて精算ステーションに挿入されたときに、精算ステーションにおいて購入を決定した商品の情報を読み出すことで、移動カートと精算ステーションの間の通信を行うようにしてもよい。
【００３９】
【発明の効果】
以上のように、本願発明の自動会計システムは、移動カートに単品重量計量手段を備え、精算ステーションに総重量計量手段を備え、精算ステーションで計量された総重量を移動カートで計量された単品重量の積算重量と比較して所定の範囲内にあるときに精算するようにしたので、個々に重量の異なる商品であっても事前に重量を計量して読取り可能なように表示しておくことなく商品の入れ替えを防止でき、顧客が選定した商品の組合せ購入や、はかり売りにも対応可能な自動会計システムを提供できるという効果がある。
【図面の簡単な説明】
【図１】本願発明の一実施形態にかかる自動会計システムのブロック構成図である。
【図２】本願発明の一実施形態にかかる自動会計システムの移動カート制御装置の制御フロー図である。
【図３】本願発明の一実施形態にかかる自動会計システムの精算ステーション制御装置の制御フロー図である。
【符号の説明】
１０　移動カート
１４　買物カゴ
１６　購入商品情報送信装置
１８　充電端子
２０　移動カート制御装置
２２　単品重量計量台
２４　バーコード読取機
２６　電源スイッチ
２８　商品情報表示機
３０　購入ボタン
３２　返品ボタン
３４　取消ボタン
３６　終了ボタン
４０　精算ステーション
４２　総重量計量台
４４　購入商品情報受信装置
５０　精算ステーション制御装置
５２　精算情報表示機
５４　精算ボタン
５６　取消ボタン
６０　紙幣投入機
６２　硬貨投入機
６４　レシート発行機
６６　釣銭払出機
【図１】
2004139194.tif 000003
【図２】
2004139194.tif 000004
【図３】
2004139194.tif 000005